(57)【要約】【課題】  複合筆記具において、外部負荷に対する耐久性を向上し、部品点数を少なくし、組み立てが容易で、経済的に得られるようにする。【解決手段】  本体（１）を前方本体（５）、中間軸（６）及び後方本体（７）で構成する。上記前方本体（５）の後端の内面にはスライドレール（２）がねじ着され、外面には上記中間軸（６）の先端が嵌合している。中間軸（６）の内方段部（１３）には、スライドレール（２）の弾性爪（３４）が係合して抜け止めされている。上記スライドレール（２）は、フランジの後方に係止縁（３３）を有し、この係止縁（３３）に後方本体（７）のかえし爪（１５）が係合し、抜け止めされる。後方本体（７）には、作動カム（４）が固定される。【選択図】      図１
2005144983.tif 000002
【特許請求の範囲】
【請求項１】
筒状の本体内に設けたスライドレールに複数の筆記要素を摺動可能に嵌着し、作動カムを回転することにより該筆記要素を本体から選択的に出没させるようにした複合筆記具において、
上記本体は先端に通孔を有する前方本体と、内面に内方段部を形成した中間軸と、内面にかえし爪を形成した後方本体を含み、
上記スライドレールは中間部に形成したフランジと、該フランジの後方に形成した係止縁と、該フランジの前方に形成した弾性爪を有し、
基端を上記前方本体の後端に挿入して連結した上記スライドレールの外周には上記中間軸が嵌挿され該中間軸は後端をスライドレールのフランジに当接すると共に上記内方段部に上記スライドレールの弾性爪を係合して抜け止めされかつ該中間軸の前端は上記前方本体の後端外周に嵌合し、上記スライドレールの後部に嵌挿された上記後方本体は該スライドレールの上記係止縁に上記かえし爪を係合して抜け止めされていることを特徴とする複合筆記具。
【請求項２】
上記中間軸の後端には受溝が形成され、上記スライドレールのフランジには、該受溝に係合する突起が形成されている請求項１に記載の複合筆記具。
【請求項３】
上記前方本体は後端外周に径小部を有し、中間軸には該径小部に嵌着するよう嵌合部が設けられている請求項１に記載の複合筆記具。
【請求項４】
作動カムは上記後方本体に挿入され、外面に係合突起を有し、上記後方本体には該係合突起が係合する孔部が設けられている請求項１または２に記載の複合筆記具。
【請求項５】
上記作動カムの後部には、消ゴムが設けられている請求項４に記載の複合筆記具。
【請求項６】
上記後方本体の前端は上記中間軸の後端外周に嵌合している請求項１ないし５のいずれかに記載の複合筆記具。
【発明の詳細な説明】
【技術分野】
【０００１】
本発明は、シャープペンシル、ボールペンその他の複数の筆記要素を本体から選択的に出没させて使用できるようにした複合筆記具に関するものである。
【背景技術】
【０００２】
複数のシャープペンシルやボールペンその他の筆記要素を本体内に収納し、該本体の後方に設けた作動カムを回転して選択的に該筆記要素を本体の先端から出没させるようにした複合筆記具が種々知られている（例えば、特許文献１参照）。この種の筆記具は、一般に複数の筆記要素を保持するスライドレールをねじ着等により本体の後端に連結し、上記スライドレールの後部にキャップを回転可能に取り付け、このキャップの内面に形成した作動カムにより筆記要素の後端に設けたスライドカムを移動させるようにしてある。
【０００３】
通常、筆記する際に筆記具本体には斜め方向の荷重が作用するが、この荷重は上記スライドレールと本体の連結部に集中し、該連結部でたわみを生じたり、大きな斜めの荷重がかかると該連結部のねじ構造部分等で破損するおそれがあった。また、上記スライドレールとキャップの連結は、スライドレールの後端にスリットを有するイカリ状の突起を形成し、この突起をキャップに形成した孔に挿入して係止させているので、組み立てが面倒であった。
【特許文献１】特開平３−１２６５９８号公報（特許請求の範囲、第１図、第２図）
【発明の開示】
【発明が解決しようとする課題】
【０００４】
本発明の解決課題は、上記のような複合筆記具において、使用の際に本体に作用する斜めの荷重により本体がたわんだり、連結部が破損するおそれを少なくすると共に組み立てが容易な複合筆記具を提供することである。
【課題を解決するための手段】
【０００５】
本発明は、上記のように荷重が集中しやすい本体とスライドレールの連結部を中間軸により補強すると共に上記スライドレールを複数個所で支持するよう下記のように構成されている。
【０００６】
すなわち、本発明によれば、筒状の本体内に設けたスライドレールに複数の筆記要素を摺動可能に嵌着し、作動カムを回転することにより該筆記要素を本体から選択的に出没させるようにした複合筆記具において、
上記本体は先端に通孔を有する前方本体と、内面に内方段部を形成した中間軸と、内面にかえし爪を形成した後方本体を含み、
上記スライドレールは中間部に形成したフランジと、該フランジの後方に形成した係止縁と、該フランジの前方に形成した弾性爪を有し、
基端を上記前方本体の後端に挿入して連結した上記スライドレールの外周には上記中間軸が嵌挿され該中間軸は後端をスライドレールのフランジに当接すると共に上記内方段部に上記スライドレールの弾性爪を係合して抜け止めされかつ該中間軸の前端は上記前方本体の後端外周に嵌合し、上記スライドレールの後部に嵌挿された上記後方本体は該スライドレールの上記係止縁に上記かえし爪を係合して抜け止めされていることを特徴とする複合筆記具が提供され、上記課題が解決される。
【発明の効果】
【０００７】
本発明は上記のように構成され、スライドレールを挿入連結した前方本体の外周には、中間軸の前端が嵌合されているので、該連結部の前方本体はスライドレールの基端と中間軸の前端により内面及び外面から挟み込まれて補強され、耐久性が向上し、その上、該基端を上記前方本体に連結したスライドレールは弾性爪及びフランジによって中間軸と接合されると共に係止縁とかえし爪により後方本体に接合されているから、筆記の際に比較的大きな斜めの荷重が作用しても、該荷重は複数の接合部に分散され、破損の可能性を低下でき、たわみやガタを生じにくく、安定性をもたせることができる。
【０００８】
さらに、上記中間軸や後方本体はスライドレールの外周部に上述のように順次係合させて組み立てることができるから、組立作業が容易であり、部品点数も少なく、経済的に得られ、上記中間軸の外面に適宜の印刷を設けたり、色彩を変えたりすれば変化に富んだ複合筆記具を得ることができる。
【発明を実施するための最良の形態】
【０００９】
図１、図２を参照し、本発明の複合筆記具は、筒状の本体（１）と、該本体内に設けられたスライドレール（２）と、該スライドレールに摺動可能に嵌着された複数の筆記要素（３）…を本体から出没させる作動カム（４）を具備しており、該筆記要素としては、シャープペンシル、ボールペンその他適宜のものが使用され、これらの基本的構成及び作用は、複合筆記具として公知であるので詳述しないが、本発明においては各部材が下記するように構成されている。
【００１０】
上記本体（１）は、前方本体（５）、中間軸（６）及び後方本体（７）を含んでいる。該前方本体（５）は、先端に通孔（８）を有し、後端内面に雌ねじ部（９）が形成され、上記スライドレール（２）の基端に形成した雄ねじ部（１０）をねじ着してスライドレールを連結するようにしてあるが、ねじに代えて適宜の凹凸係合部（図示略）によって連結させてもよい。また、該前方本体（５）の後端外周には径小部（１１）が形成されている。なお、前方本体は、筆記の際のグリップとして機能するので、表面に適宜の軟質層や滑り止め層等を形成することもできる。
【００１１】
上記中間軸（６）は、図３、図４に示すように、上記前方本体（５）の後端外周の径小部（１１）に嵌着する嵌合部（１２）を前端に有し、内面には内方段部（１３）が形成され、後端には受溝（１４）が設けられている。この中間軸（６）の表面には、適宜の印刷や色彩等を施すことができる。
【００１２】
上記後方本体（７）は、図５、図６に示すように、内面にかえし爪（１５）…を有し、外面にクリップ（１６）を有している。該かえし爪（１５）は、略円錐状に係止先端（１７）が該後方本体（７）の軸心に対して中心方向に斜め後方に傾斜するよう複数、図においては２個所突設され、後記するようにスライドレール（２）に挿入する際に該係止先端は弾性的に変位可能である。また、上記内面には作動カム（４）を回り止めするための突条（１８）及び内方平面部（１９）を軸方向に沿って形成してあり、該内方平面部（１９）には孔部（２０）が設けられている。
【００１３】
上記作動カム（４）は、基面（２１）から前方に傾斜して延びる傾斜カム面（２２）と該傾斜カム面（２２）の先端に存する係止部（２３）を有し、後方本体と一体的に作ることもできるが、図に示す実施例では、上記後方本体（７）と別体に構成され、該後方本体の突条（１８）が係合する長溝（２４）及び上記内方平面部（１９）に接する側方平面部（２５）が形成され、該側方平面部（２５）には上記孔部（２０）に係合する係合突起（２６）が設けられている（図７、図８参照）。また、該作動カム（４）の後部には、保持孔（２７）が形成され、該保持孔（２７）に消ゴム（２８）を装着してある。なお、上記係合突起（２６）を後方本体（７）の孔部（２０）に係合した際、該係合突起が外部からみえるように色彩を変えたりすれば、意匠的に変化に富んだデザインが得られる。
【００１４】
上記スライドレール（２）は、上記筆記要素（３）…が貫通する孔を設けた隔壁（２９）を内方に有し、該隔壁（２９）の後方にガイド溝（３０）…（図１１参照）があり、該ガイド溝（３０）…に上記作動カム（４）により操作されるスライドカム（３１）…を摺動可能に嵌着し、該スライドカムの前端に上記筆記要素の後端を接続し、ばねにより後方に付勢している。該スライドレール（２）の外面のほぼ中間部には、図９、図１０に示すように、フランジ（３２）を設けてあり、該フランジ（３２）の後方には、ほぼ上記ガイド溝の端部に沿って周方向に連続する係止縁（３３）が突設されている。また、該フランジ（３２）の前方の筒状部には、切欠部を周面に形成することにより弾性爪（３４）が設けられている。該弾性爪（３４）は、後方に向かって先端が斜め外方に起立するように、図においては２ヶ所設けられ、ばね弾性を有している。上記フランジ（３２）には、上記中間軸（６）の受溝（１４）に係合するよう突起（３５）が設けられている。
【００１５】
而して、上記各部材を組み立てに際し、中間軸（６）をスライドレール（２）に挿入すると、上記弾性爪（３４）はしなりながら押圧され、上記内方段部（１３）の位置まで移動したとき復帰して該内方段部（１３）に係合すると共に後端がフランジ（３２）に当接して中間軸（６）は抜け止めされる。また、上記中間軸（６）の受溝（１４）にスライドレール（２）の突起（３５）が入り込んで該中間部は回り止めされる。該スライドレール（２）の基端を前方本体（５）にねじ着すると、該中間軸（６）の先端に設けた嵌合部（１２）は前方本体（５）の径小部（１１）に嵌着し、嵌合部（１２）と該スライドレール（２）のねじ着部間で前方本体（５）の後端を挟着する。
【００１６】
上記後方本体（７）の後端から上記作動カム（４）を挿入すると、該作動カム（４）は係合突起（２６）が後方本体（７）の孔部（２０）に係合した位置で固定される。この後方本体（７）を上記スライドレール（２）の後方から挿入すると、上記かえし爪（１５）がスライドレール（２）の係止縁（３３）を乗り越えた位置で該かえし爪（１５）は係止縁（３３）に係合し、回転可能に抜け止めされる。このとき、該後方本体（７）の前端は上記中間軸（６）の後端外周に嵌合する。また、上記かえし爪（１５）と係止縁（３３）の係合は強固であり、筆記要素としてシャープペンシルを選択しているとき、該係合部は作動カムをノックした際のノックストロークのストッパーとしての機能を果たす。
【００１７】
以上のようにスライドレール（２）の軸方向に中間軸（６）や後方本体（７）を挿入することにより簡単に組み立てることができ、スライドレール（２）を中心としてあたかも該スライドレールが背骨となるように各部材が接合され、作動カムを固定した上記後方本体（７）を回転することにより上記筆記要素（３）…を前方本体（５）の通孔（８）から選択的に出没させて筆記することができる。
【図面の簡単な説明】
【００１８】
【図１】本発明の一実施例を示す断面図。
【図２】筆記要素や作動カムを省略し、前方本体、中間軸、後方本体及びスライドレールの位置関係を示す断面図。
【図３】中間軸の断面図。
【図４】中間軸の一部切欠斜視図。
【図５】後方本体の断面図。
【図６】後方本体の一部切欠斜視図。
【図７】作動カムの正面図。
【図８】作動カムの斜視図。
【図９】スライドレールの正面図。
【図１０】スライドレールの斜視図。
【図１１】スライドレールの端面図。
【図１２】要部の接合状態を示す説明図。
【符号の説明】
【００１９】
１  本体    ２  スライドレール    ３  筆記要素    ４  作動カム    ５  前方本体    ６  中間軸    ７  後方本体    １１  径小部    １２  嵌合部    １３  内方段部    １５  かえし爪    ２８  消ゴム    ３２  フランジ    ３３  係止縁    ３４  弾性爪
【図１】
2005144983.tif 000003
【図２】
2005144983.tif 000004
【図３】
2005144983.tif 000005
【図４】
2005144983.tif 000006
【図５】
2005144983.tif 000007
【図６】
2005144983.tif 000008
【図７】
2005144983.tif 000009
【図８】
2005144983.tif 000010
【図９】
2005144983.tif 000011
【図１０】
2005144983.tif 000012
【図１１】
2005144983.tif 000013
【図１２】
2005144983.tif 000014